【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
画面を分割して得られるブロック毎にバックライトの発光輝度を制御可能な画像表示装置の表示品質を検査するためのパターン部品画像を含むパターン画像データを生成する画像生成装置であって、
前記画像表示装置の前記ブロックの中から、表示品質が劣化していると推定されるブロックを劣化推定領域として検出する検出手段と、
前記画像表示装置でパターン画像データに基づく画像を表示する際に、前記検出手段で前記劣化推定領域として検出されたブロックに前記パターン部品画像が表示されるように、パターン画像データを生成する生成手段と、
を有する
ことを特徴とする画像生成装置。
【請求項２】
前記生成手段は、パターン部品画像の種類が異なる複数のパターン画像データを生成する
ことを特徴とする請求項１に記載の画像生成装置。
【請求項３】
前記検出手段は、
前記ブロック毎に、前記バックライトが所定値以上の発光輝度で点灯された累積点灯時間と、基準時間とを比較し、
前記累積点灯時間が前記基準時間以上のブロックを、前記劣化推定領域として検出する
ことを特徴とする請求項１または２に記載の画像生成装置。
【請求項４】
前記基準時間は、互いに長さが異なる複数の基準時間を含み、
前記検出手段は、
ブロック毎に、累積点灯時間と前記複数の基準時間とを比較し、
前記複数の基準時間で規定される複数の時間範囲のうちの少なくとも一部の時間範囲について、時間範囲毎に、累積点灯時間がその時間範囲内の時間であるブロックを、前記劣化推定領域として検出し、
前記生成手段は、時間範囲毎に、その時間範囲に対応する劣化推定領域として検出されたブロックに前記パターン部品画像が表示されるように、パターン画像データを生成する
ことを特徴とする請求項３に記載の画像生成装置。
【請求項５】
前記生成手段で生成されたパターン画像データを前記画像表示装置に出力する出力手段を更に有し、
前記出力手段は、より長い基準時間で規定される時間範囲に対応するパターン画像データから順番に出力する
ことを特徴とする請求項４に記載の画像生成装置。
【請求項６】
前記基準時間は、ユーザが設定した時間である
ことを特徴とする請求項３〜５のいずれか１項に記載の画像生成装置。
【請求項７】
前記基準時間は、各ブロックの累積点灯時間の平均時間である
ことを特徴とする請求項３に記載の画像生成装置。
【請求項８】
画面を分割して得られるブロック毎にバックライトの発光輝度を制御可能な画像表示装置であって、
前記ブロックの中から、表示品質が劣化していると推定されるブロックを劣化推定領域として検出する検出手段と、
前記検出手段で前記劣化推定領域として検出されたブロックに、表示品質を検査するためのパターン部品画像を表示させる表示制御手段と、
を有することを特徴とする画像表示装置。
【請求項９】
画面を分割して得られるブロック毎にバックライトの発光輝度を制御可能な画像表示装置の表示品質を検査するためのパターン部品画像を含むパターン画像データを生成する画像生成方法であって、
コンピュータが、前記画像表示装置の前記ブロックの中から、表示品質が劣化していると推定されるブロックを劣化推定領域として検出する検出ステップと、
コンピュータが、前記画像表示装置でパターン画像データに基づく画像を表示する際に、前記検出ステップで前記劣化推定領域として検出されたブロックに前記パターン部品画像が表示されるように、パターン画像データを生成する生成ステップと、
を有する
ことを特徴とする画像生成方法。
【請求項１０】
前記生成ステップでは、パターン部品画像の種類が異なる複数のパターン画像データが生成される
ことを特徴とする請求項９に記載の画像生成方法。
【請求項１１】
前記検出ステップでは、
前記ブロック毎に、前記バックライトが所定値以上の発光輝度で点灯された累積点灯時間と、基準時間とが比較され、
前記累積点灯時間が前記基準時間以上のブロックが、前記劣化推定領域として検出される
ことを特徴とする請求項９または１０に記載の画像生成方法。
【請求項１２】
前記基準時間は、互いに長さが異なる複数の基準時間を含み、
前記検出ステップでは、
ブロック毎に、累積点灯時間と前記複数の基準時間とが比較され、
前記複数の基準時間で規定される複数の時間範囲のうちの少なくとも一部の時間範囲について、時間範囲毎に、累積点灯時間がその時間範囲内の時間であるブロックが、前記劣化推定領域として検出され、
前記生成ステップでは、時間範囲毎に、その時間範囲に対応する劣化推定領域として検出されたブロックに前記パターン部品画像が表示されるように、パターン画像データが生成される
ことを特徴とする請求項１１に記載の画像生成方法。
【請求項１３】
前記生成ステップで生成されたパターン画像データを前記画像表示装置に出力する出力ステップを更に有し、
前記出力ステップでは、より長い基準時間で規定される時間範囲に対応するパターン画像データから順番に出力される
ことを特徴とする請求項１２に記載の画像生成方法。
【請求項１４】
前記基準時間は、ユーザが設定した時間である
ことを特徴とする請求項１１〜１３のいずれか１項に記載の画像生成方法。
【請求項１５】
前記基準時間は、各ブロックの累積点灯時間の平均時間である
ことを特徴とする請求項１１に記載の画像生成方法。
【請求項１６】
画面を分割して得られるブロック毎にバックライトの発光輝度を制御可能な画像表示装置における画像表示方法であって、
コンピュータが、前記ブロックの中から、表示品質が劣化していると推定されるブロックを劣化推定領域として検出する検出ステップと、
コンピュータが、前記検出ステップで前記劣化推定領域として検出されたブロックに、表示品質を検査するためのパターン部品画像を表示させる表示制御ステップと、
を有することを特徴とする画像表示方法。 
【手続補正２】
【補正対象書類名】明細書
【補正対象項目名】００２０
【補正方法】変更
【補正の内容】
【００２０】
ＰＣ２０の構成について説明する。
通信制御部２１、表示出力部２２、制御部２３、記憶部２４、入力制御部２５はバス２６を介して相互に通信可能である。
通信制御部２１は、モニタ１０との通信を行う。具体的には、モニタ１０より取得した累積点灯時間情報を制御部２３へ送信する。
表示出力部２２は、制御部２３で生成されたパターン画像データをモニタ１０へ出力する。具体的には、表示出力部２２は、パターン画像データを画像信号へ変換し、該画像信号をモニタ１０へ出力する。
制御部２３は、バス２６を介してＰＣ２０の各機能を制御する。また、制御部２３は、モニタ１０より取得した累積点灯時間情報を用いて、モニタ１０の分割領域の中から、表示品質が劣化していると推定されるブロックを劣化推定領域として検出し、該検出結果に基づいて記憶部２４に記憶されているパターン部品画像からパターン画像データを生成する。制御部２３の機能の詳細については、後述する。制御部２３は、例えばＣＰＵ（コンピュータ）であり、メモリ等の記録媒体（コンピュータで読み取り可能な記録媒体）に記憶されたプログラムを実行することにより各種処理を実現する。
記憶部２４は、パターン画像（図２２）やパターン部品画像（図７（ａ），７（ｂ），１０，１６，２０）を記憶する。記憶部２４としては、ＤＶＤやブルーレイディスクなどの光ディスク、ハードディスクなどの磁気ディスク、ＲＡＭなどの半導体メモリなどを用いることができる。記憶部２４に記憶された画像データは処理に応じて制御部２３により
参照され、グラフィックスメモリに展開される。図７（ａ），７（ｂ）のパターン部品画像は、ガイドラインで定義されている目視検査用パターン画像（ＪＩＲＡ  ＴＧ１８−ＱＣ）の一部の画像である。
入力制御部２５は、マウスやキーボード等から、ユーザ操作（ユーザによるＰＣ２０の操作）を表す操作情報を入力し制御部２３へ出力する。
バス２６は、ＰＣ２０の各機能に接続されており、ＰＣ２０の機能間を相互通信可能とする。 
【手続補正３】
【補正対象書類名】明細書
【補正対象項目名】００５２
【補正方法】変更
【補正の内容】
【００５２】
Ｓ８０７において、劣化推定領域検出部２００は、ｉｎｄｅｘＢＬの累積点灯時間ｔｉｍｅがｂａｓｅＬｉｎｅ＿０１以上か否かを判定する。
ｉｎｄｅｘＢＬの累積点灯時間ｔｉｍｅがｂａｓｅＬｉｎｅ＿０１未満である場合（Ｓ８０７：ｎｏ）、劣化推定領域検出部２００は、ｉｎｄｅｘＢＬのブロックを劣化推定領域として判断せず、Ｓ８１６へ処理を進める。
ｉｎｄｅｘＢＬの累積点灯時間ｔｉｍｅがｂａｓｅＬｉｎｅ＿０１以上である場合（Ｓ８０７：ｙｅｓ）、Ｓ８０８において、劣化推定領域検出部２００は、ｉｎｄｅｘＢＬの累積点灯時間ｔｉｍｅがｂａｓｅＬｉｎｅ＿０２以上か否かを判定する。
ｉｎｄｅｘＢＬの累積点灯時間ｔｉｍｅがｂａｓｅＬｉｎｅ＿０２以上である場合（Ｓ８０８：ｙｅｓ）、Ｓ８０９において、劣化推定領域検出部２００は、ｉｎｄｅｘＢＬのブロックを優先度「高」の劣化推定領域として判断する。
ｉｎｄｅｘＢＬの累積点灯時間ｔｉｍｅがｂａｓｅＬｉｎｅ＿０１以上ｂａｓｅＬｉｎｅ＿０２未満の場合（Ｓ８０８：ｎｏ）、Ｓ８１０において、劣化推定領域検出部２００は、ｉｎｄｅｘＢＬのブロックを優先度「中」の劣化推定領域として判断する。